(57)【要約】      （修正有）【課題】ぶどう等の花冠（花かす）落としの作業を効率よく行うことができる花冠除去器を提供する。【解決手段】リング形状の枠体３と、枠体３の内周側に設けられているブラシ部７であって、その内周側に先端方向に開口部７ａが形成されるように配置された弾性を有するブラシ部７を有し、枠体３とブラシ部７とに枠体３の外周部から開口部７ａまで連通する切れ込み部１１が設けられている。切れ込み部１１は、ぶどうの穂軸を通す通路として機能する。【選択図】図１Ａ
0003218806.tif 000002
【実用新案登録請求の範囲】
【請求項１】
リング形状の枠体と、前記枠体の内周側に設けられているブラシ部であって、その内周側の先端方向に開口部が形成されるように配置された弾性を有するブラシ部とを有し、
前記枠体と前記ブラシ部とに前記枠体の外周部から前記開口部まで連通する切れ込み部が設けられていることを特徴とする花冠除去器。
【請求項２】
前記切れ込み部は、ぶどうの穂軸を通す通路として機能することを特徴とする請求項１に記載の花冠除去器。
【請求項３】
前記切れ込み部は、前記枠体の外周部から前記開口部まで形成されていることを特徴とする請求項１又は２に記載の花冠除去器。
【請求項４】
前記ブラシ部は、前記枠体の内周部に接続された膜状体に前記開口部まで切り込みを入れた構造である請求項１から３までのいずれか１項に記載の花冠除去器。
【請求項５】
前記開口部を臨む前記ブラシ部のエッジ部は、ぶどうの花冠を落とす花冠除去部として機能することを特徴とする請求項１から４までのいずれか１項に記載の花冠除去器。
【請求項６】
前記ブラシ部は、径方向に切り込みを有する弾性膜により形成されていることを特徴とする請求項１から５までのいずれか１項に記載の花冠除去器。
【請求項７】
前記ブラシ部は、多数の繊維により形成されていることを特徴とする請求項１から３までのいずれか１項に記載の花冠除去器。
【請求項８】
前記枠体は、ジベレリン処理を行うための、その上方が開口した容器に取り付け可能であることを特徴とする請求項１から７までのいずれか１項に記載の花冠除去器。
【請求項９】
前記枠体に前記ブラシ部が単数又は複数段配置されていることを特徴とする請求項１から８までのいずれか１項に記載の花冠除去器。
【請求項１０】
前記切れ込み部は、前記複数段のブラシ部の段が形成されている上下方向の同じ位置に形成されていることを特徴とする請求項９に記載の花冠除去器。
【考案の詳細な説明】
【技術分野】
【０００１】
本考案は、農業分野で農作物の花冠（花かす）を取り除くのに用いられる花冠除去器に関し、特に、ぶどうの花冠（花かす）取りに用いられる花冠除去器に関する。
【背景技術】
【０００２】
ぶどうの落花期に花冠（花かす）が残るとそこに灰色かび病菌が付着し、傷果や裂果の発生原因となる。また、成熟期には裂果した部分や傷口から菌が侵入して発病したり、貯蔵中にも果実腐敗をおこしたりするおそれがある。
【０００３】
耕種的防除として、できるだけ早い時期に幼果から花冠（花かす）を除去する（以下、「花かす落とし」と称する。）必要がある。しかしながら、開花期はジベレリン処理、摘心、誘引、花穂整形および薬剤散布など多くの管理作業を平行して行わなければならないため、花かす落としは遅れがちになる。
【０００４】
また、着果したほとんどの果房に対して花かす落としを実施する必要があるため、大変手間のかかる作業である。そのため、簡便な操作で、短時間に花かす落としができる考案品の開発が強く望まれている。
【０００５】
このように、ぶどうの花かす落としとは、灰色かび病の防止、果面の傷および裂果の原因となる開花期の花冠を取り除く作業である。多くの農家では、手で１果房ごとにしごいて花かすを取り除いたり、刷毛やブラシで花かすを取ったりしている。
【０００６】
また、エアーコンプレッサーやブロアーで１果房ごとの花かすを吹き飛ばす方法も行われている。
【０００７】
例えば、特許文献１には、花冠取り器において、ジベレリン処理時にジベレリン液の入ったカップと併用する技術が開示されている。
【先行技術文献】
【特許文献】
【０００８】
【特許文献１】実用新案登録第３１２９９７２号公報
【考案の概要】
【考案が解決しようとする課題】
【０００９】
例えば、手、刷毛やブラシで花冠を取る技術では、棚栽培下で長時間両腕を上げた状態を強いられるとともに、 細やかな操作が必要なため集中力を要する作業であるという問題点がある。
【００１０】
また、エアーコンプレッサーやブロアーで花冠を吹き飛ばす方法では、エアーコンプレッサーやブロアーなどの比較的重量のある器具を園地内に運搬する必要があること、動力源を確保する必要があること、高圧の空気により小果を痛める可能性があること、などの問題点がある。
【００１１】
特許文献１に記載の花冠取り器は、携帯可能であり、かつ、電源が不要な道具であるという利便性がある。
【００１２】
しかしながら、特許文献１に記載の花冠取り器では、果房をその先端から花冠落とし部（ブラシ部など）に挿入する必要がある。このため、 一定の挿入抵抗が生じてブラシ部に果房がすばやく挿入できないという問題がある。また、ブラシ部の挿入は果房の先端に限定されているため作業性に制約がある。
【００１３】
さらに、果房の房先がやや曲がったものでは、挿入の際に抵抗が大きくなるため作業効率が劣るケースがあった。このため、花かす落としが効率よく実施できないという問題がある。
【００１４】
本考案は、ぶどう等の花かす落としの作業を効率よく行うことができる花冠除去器を提供することを目的とする。
【課題を解決するための手段】
【００１５】
本考案の一観点によれば、リング形状の枠体と、前記枠体の内周側に設けられているブラシ部であって、その内周側の先端方向に開口部が形成されるように配置された弾性を有するブラシ部を有し、前記枠体と前記ブラシ部とに前記枠体の外周部から前記開口部まで連通する切れ込み部が設けられていることを特徴とする花冠除去器が提供される。
【００１６】
前記切れ込み部は、例えば、ぶどうの穂軸を通す通路として機能することを特徴とする。当該通路をぶどうの穂軸が挿通できるようになっている。
【００１７】
また、前記切れ込み部は、前記枠体の外周部から前記開口部まで形成されていることを特徴とする。
【００１８】
前記ブラシ部は、前記枠体の内周部に接続された膜状体に前記開口部まで切り込みを入れた構造であることが好ましい。
【００１９】
前記開口部を臨む前記ブラシ部のエッジ部は、ぶどうの花冠を落とす花冠除去部として機能することを特徴とする。
【００２０】
前記ブラシ部は、径方向に切り込みを有する弾性膜により形成されていても良いし、前記ブラシ部は、多数の繊維により形成されていても良い。
【００２１】
前記枠体は、ジベレリン処理を行うための、その上方が開口した容器に取り付け可能であるようにしても良い。
【００２２】
前記枠体に前記ブラシ部が単数又は複数段配置されていても良い。その際、前記切れ込み部は、複数段のブラシ部の段が形成されている上下方向の同じ位置に形成されていることが好ましい。
【考案の効果】
【００２３】
本考案によれば、ぶどう等の花かす落としを効率よく行うことができる花冠除去器を提供することができる。
【図面の簡単な説明】
【００２４】
【図１Ａ】本考案の実施の形態による花冠除去器の一構成例を示す平面図である。
【図１Ｂ】本考案の実施の形態による花冠除去器の一構成例を示す断面図であり、図１ＡのＡ−Ａ’線に沿う断面図である。
【図２】本実施の形態による花冠除去器を用いた花かす落とし作業の一例の概要を示す図である。
【図３】図２に続く図であり、本実施の形態による花冠除去器を用いた花かす落とし作業の一例の概要を示す図である。
【図４】本実施の形態による花冠除去器によって花冠を落とす前の図（図４（ａ））と、花冠を落とした後の図（図４（ｂ））である。
【図５】本実施の形態による花冠除去器によって花冠を落とした後に、ジベレリン処理を行う様子を示す図である。
【図６】切れ込み部のない比較例による花冠取り器の構造を有する図である。
【図７】図６に示す花冠取り器を利用して果房を挿入する作業の概要を示す図である。
【図８】図６に示す花冠取り器を利用した花かす落とし作業の概要を示す図である。
【考案を実施するための形態】
【００２５】
本明細書においては、ぶどうの花冠を落とす花冠除去器を例にして説明するが、花冠を落とす対象は必ずしもぶどうに限定されるものではない。例えば、他の食用の果実や園芸用の果実又は花などにも適用可能である。  
【００２６】
以下の本考案の実施の形態について図面を参照しながら詳細に説明する。
【００２７】
（第１の実施の形態）
図１Ａは、本実施の形態による花冠除去器の一構成例を示す図である。図１Ｂは本考案の実施の形態による花冠除去器の一構成例を示す断面図であり、図１ＡのＡ−Ａ’線に沿う断面図である。図２は、本実施の形態による花冠除去器を用いた花かす落とし作業の一例を示す側面図である。図３は、図２に続く図であり、本実施の形態による花冠除去器を用いた花かす落とし作業の一例を示す側面図である。
【００２８】
図１Ａ，Ｂに示すように、本実施の形態による花冠除去器１は、周囲にリング状の枠体３が形成されている。枠体３は、例えば、リング状の形状を有する樹脂又は金属製や木製の材料などから構成されている。尚、リング形状とは、完全に円形の輪に限定されるものではないことは言うまでも無い。
【００２９】
本実施の形態では、枠体３のリングの内周面にブラシ部７が接着などにより接続されるように形成されて、内周円の中心部に向かって延びている。ブラシ部７は、例えば、弾性のある薄い膜により形成された膜状体に対して、径方向と交差する方向に多数の切り込み７ｘを入れている。膜状体に切り込み７ｘを入れることで、多数のブラシ片７ｙが形成される。すなわち、ブラシ部７は、リング状の枠体３の内周部に接続されている。好ましくは、切り込み７ｘにより形成される多数のブラシ片７ｙは、同心円状に測定した幅の長さが等しいように形成するが、異なる幅の長さとしても良い。
【００３０】
このように、本実施の形態では、枠体３に多数のブラシ片７ｙからなるブラシ部７が形成されている。すなわちブラシ部７の厚さ（膜状体から形成する場合には膜状体の厚さ）は、例えば、０．１ｍｍ〜２ｍｍ程度である。
【００３１】
尚、ブラシ部７は、上記のような膜状体を切り込んで形成したものの他に、一般的なブラシ、すなわち、多数の毛（繊維）の集合により構成されていても良い。
【００３２】
ブラシ部７のブラシ片７ｙはその先端方向に向けて放射状に延びているが、その先端部は内周円の中心までは達していない。すなわち、ブラシ部７の先端側には、例えば平面視略円形の開口部７ａが形成されている。
【００３３】
円形の開口部７ａの径は、ぶどうの果房１５を上下方向にスライドさせることができる程度、例えば、ぶどうの果房１５の直径(主穂径)が２０〜３０ｍｍ程度であれば、それと同程度又は主穂径より小さい径であることが好ましい。
【００３４】
ブラシ部７の先端方向に開口部７ａを設けることによりブラシ部７の、開口部７ａを臨む例えば円形のエッジ部（７ｂ）が形成される。このエッジ部７ｂが、ぶどうの花冠を落とすための花冠落とし部７ｂとして機能する。
【００３５】
尚、ブラシ片７ｙは弾性を有しているため、ぶどうの果房１５を上下方向にスライドさせることにより、ブラシ片７ｙは弾性変形によりある程度撓み、ぶどうの穂軸よりも太い果房１５を擦りながら花かす落としを行うことができる。以下、エッジ部７ｂを花冠落とし部７ｂと称して説明する。
【００３６】
図１Ａ，図１Ｂに示す構成では、２枚の枠体３が上下方向にある距離だけ離されて配置されており、その間の枠体３と同じ上下方向の位置に、例えば、複数枚のスペーサー１３が上下の枠体３に狭持されている。これにより、ブラシ部７を、ある程度離れた距離で２枚配置することも可能である。この際、図１Ａ，図１Ｂのように、切れ込み部１１は、複数段のブラシ部７の段が、上下方向の同じ位置に形成されている。
【００３７】
さらに、枠体３には、その外周に例えば４つの突出部（凸部）３ａが形成されており、これら突出部３ａにおいて、ビス５よるビス止めなどにより枠体３とブラシ部７とを固定することができる。突出部３ａの間には、非突出部（凹部）３ｂが形成されている。
【００３８】
また、一対の枠体３の一方の面に、後述するコップを取り付けてジベレリン処理をできるようにしても良い。
【００３９】
さらに、枠体３に突出部３ａを複数設けることで、把持しやすくなり、作業性が向上するという利点がある。
【００４０】
本実施の形態による花冠除去器１の１つの特徴は、ブラシ部７とその枠体３とに外周部から内周部（開口部７ａ）まで連通する１つの切れ込み部（切り欠け部）１１が設けられている構成を有することである。切れ込み部１１は、枠体３の最外周部から開口部７ａ（膜状部のエッジ）まで連通している。すなわち、切れ込み部１１は、枠体３に形成される第１の切れ込み部１１ａとブラシ部７に形成される第２の切れ込み部１１ｂとからなる。
【００４１】
図１Ａ，Ｂでは、切れ込み部１１は、枠体３の外周部から開口部７ａまで、その幅が次第に狭くなっている形状を有している。切れ込み部（通路）１１の形状はこのような形状に限定されるものではないが、はさみなどにより枠体３や花冠落とし部７ｂを加工する場合には、このような形状にすれば加工がしやすいという利点がある。
【００４２】
本実施の形態による花冠除去器１を用いると、図２に示すように、枠体３の外周側から花冠落とし部７ｂ（エッジ部）を越えてその内周側の開口部７ａまでぶどうの果房１５の挿入を簡単に行うことができる。すなわち、花冠除去器１へのぶどうの配置を、ぶどうの新梢１２から延びる果房１５の先端からではなく穂軸１７から切れ込み部１１に沿って外側から内側に動かすことにより行うことができる（矢印ＡＲ１）。これにより、果房１５を狭い開口部７ａを通して挿入するよりも、果房１５を痛めずに花冠除去器１に簡易に配置することができる。また、ブラシ部７は、少なくとも柔らかい材料でできているなど、切れ込み部１１、特に第２の切れ込み部１１ｂの幅が広がりやすいように構成されている。
【００４３】
以下、ぶどうの花かす落とし作業は以下のようにして行うことができる。図２，図３は、図１に示す花冠除去器１を利用してぶどうの花かす落とし作業の概要を示す図である。
【００４４】
図２に示すように、作業者の両手Ｈでぶどうの穂軸１７と花冠除去器１とをそれぞれ保持し、図２に示す花冠除去器１の側方の切れ込み部１１から、果房１５を、例えば花冠除去器１を矢印ＡＲ１の方向に動かすことで（或いは、穂軸１７を逆方向に動かすことで）、開口部７ａ内にぶどうの穂軸１７を誘導していく。切れ込み部１１はその誘導を支援するガイド部としても機能するため、果房１５の挿入手順が簡単になる。
【００４５】
そして、ぶどうの穂軸１７が開口部７ａ内に入ると、切れ込み部１１は開口部７ａまでしか形成されていないため、ぶどうの穂軸１７を開口部７ａ内に留めることができる。
【００４６】
次いで、図３に示すように、例えば、ぶどうの穂軸１７と花冠除去器１とを矢印ＡＲ２に示すように上下方向に、例えば２〜４回程度、相対移動させることにより、ぶどうの花冠を取り除くことができる。
【００４７】
図４は、花冠除去器１による花かす落とし前後の果房１５を含むぶどうの状態を示す図である。図４（ａ）は花かす落とし処理前、図４（ｂ）は花かす落とし処理後のぶどうの果房１５を含む穂軸１７の外観を示す図である。図４（ａ）に示す花かす落とし処理前の状態と図４（ｂ）に示す処理後の状態を比較すると明らかなように、花冠１４がきれいに落とされていることがわかる。
【００４８】
このように、本実施の形態による花冠除去器１を用いると、花冠を効率良くきれいに落とすことができることがわかる。
【００４９】
図５は、本実施の形態による花冠除去器１をコップ（容器）２１の蓋として用いた様子を示す斜視図である。ジベレリン処理を行う際に、枠体３の切れ込み部１１に嵌まるような部品１１ｘを準備して、例えば、切れ込み部１１に矢印ＡＲ２１に示すように嵌めることで、容器２１内の液体が外部にこぼれることを防止することができる。
【００５０】
（比較例）
以下に、本実施の形態による花冠除去器１とは異なり、切れ込み部１１が形成されていない花冠取り器１ａとの間における、花かす除去効果について比較する。
【００５１】
例えば、図６に示すように、切れ込み部１１が形成されていない既製品の花冠取り器１ａは、図１と同様に周囲にリング状の枠体３が形成され、枠体３の内周側に内周円の中心に向かって多数の繊維などが形成された図１と同様の花冠落とし部７ｂが設けられている。花冠落とし部７ｂの先端は内周円の中心まで延びていないため、花冠落とし部７ｂの内周側にはブラシ部７が形成されておらず、例えば円形の開口部７ａが形成されている。
【００５２】
比較例におけるぶどうの花かす落とし作業は以下のようにして行うことができる。図７、図８は、図６に示す花冠取り器１ａを利用して花冠を取る作業の概要を示す図である。
【００５３】
図７に示すように、例えば、作業者の手Ｈでぶどうの穂軸１７と花冠取り器１ａとをそれぞれ保持し、図６に示す花冠取り器１ａの上方から、果房１５を先端にして（果房先から）、例えば花冠取り器１ａを矢印ＡＲ１１の方向に動かすことで開口部７ａにぶどうの果房１５を挿入していく。
【００５４】
そして、図８において矢印ＡＲ１２で示すように、例えば２〜４回ほど穂軸１７を上下させて花冠を落とすようにして取り除く。
【００５５】
以下に、本実施の形態による花冠除去器１と比較例による花冠取り器１ａとを用いた場合の花かす落としの結果を比較して説明する。花かす落としの条件等は両者で同じにしている。
【００５６】
【表１】
0003218806.tif 000003
【００５７】
表１は、図１に示す本実施の形態による切れ込み部１１が形成されている花冠除去器１と図６に示す切れ込み部１１が形成されていない花冠取り器１ａとを用いて花かす落とし処理を行った場合の花冠除去効果の比較例を示す表である。切れ込み部１１の形成の有無以外の構造は同様である。この例では、「ピオーネ」（無核栽培）で比較している。
【００５８】
表１に示すように、図１に示す構造の花冠除去器１を用いた場合の花冠（花かす）除去率は９４．３％であり、切れ込み部１１を形成しても、花冠除去効果には有意差がないことがわかる。
【００５９】
すなわち、本実施の形態による切れ込み部１１が形成された花冠除去器１によれば、ぶどうの花かす落とし効果は、切れ込み部１１が形成されていない花冠取り器１ａと同等であることがわかる。
【００６０】
すなわち、本実施の形態による花冠除去器１を用いると、比較例よりも簡易に花かす落としを行うことができるため、開花期の農繁期においてより一層の省力・軽労化を図ることができる。
【００６１】
また、本実施の形態による花冠除去器１は、単に切れ込み部１１を形成するための簡単な加工を行うのみで実現することができるため、製造工程が複雑化せず、また、切れ込み部１１を有していない従来品をそのまま利用できるなどの利点もある。
【００６２】
その上、果房１５の房先がやや曲がったものであっても、果房１５の挿入の際に抵抗が少ないため作業効率が落ちることがなく、花かす落としをより効率よく行うことができるという利点がある。
【００６３】
上記の実施の形態において、添付図面に図示されている構成等については、これらに限定されるものではなく、本考案の効果を発揮する範囲内で適宜変更することが可能である。その他、本考案の目的の範囲を逸脱しない限りにおいて適宜変更して実施することが可能である。
【００６４】
例えば、上記の実施の形態では、ぶどうを例にして説明したが、ぶどう以外の他の果実や花などに適用することも可能である。
【００６５】
また、本考案の各構成要素は、任意に取捨選択することができ、取捨選択した構成を具備する考案も本考案に含まれるものである。
【産業上の利用可能性】
【００６６】
本考案は、ぶどうの花冠除去器に利用可能である。
【符号の説明】
【００６７】
１  花冠除去器
１ａ 花冠取り器
３  枠体
５  ビス
７  ブラシ部
７ａ  開口部
７ｂ  花冠落とし部（エッジ部）
１１  切れ込み部
１２  新梢
１３  スペーサー
１４  花冠（花かす）
１５  果房
１７  穂軸
２１  コップ（容器）
【図１Ａ】
0003218806.tif 000004
【図１Ｂ】
0003218806.tif 000005
【図２】
0003218806.tif 000006
【図３】
0003218806.tif 000007
【図４】
0003218806.tif 000008
【図５】
0003218806.tif 000009
【図６】
0003218806.tif 000010
【図７】
0003218806.tif 000011
【図８】
0003218806.tif 000012